(57)【要約】      （修正有）【課題】重層的な聴感及びステレオ音響効果をもたらすマルチチャンネルヘッドホンを提供する。【解決手段】スピーカーユニット２０の第１音発生部２１及び第２音発生部２２が同時に音を生成すると、第２音発生部２２によって生成される音は第２音声出力孔１３を通って耳道へ伝搬し、第１音発生部２１によって生成される音は遮音壁１１０で屈折し次いで第１音声出力孔１２を通って耳道へ伝搬する。屈折した音は直接伝搬する音よりも遅いので、重層的な聴感をもたらすことができ、ステレオ音響効果を発生させることができ、これにより使用者がより良好な聴感を享受することができる。【選択図】図２Ａ
2014155229.tif 000002
【特許請求の範囲】
【請求項１】
中に形成された複数の音声出力孔を備える筐体と、
上記筐体の内部に装着されており、かつ複数の音発生部が装着され、上記音発生部のうちの１つによって生成される音が上記音声出力孔のうちの１つを通って直接伝搬し、少なくとも１つの別の音発生部によって生成される音がそれぞれの音声出力孔を通って間接的に伝搬するスピーカーユニットと
を備えるマルチチャンネルヘッドホン。
【請求項２】
上記音声出力孔が第１音声出力孔及び第２音声出力孔を含み、上記音発生部のうちの１つによって生成される音が上記第１音声出力孔を通って直接伝搬し、
上記筐体が、
内側の面から内部に向けて陥凹している区画と、
他の音発生部に対応する上記区画の内壁上の位置に形成され、上記他の音発生部によって生成される音を屈折し、次いで上記第２音声出力孔を通って伝搬する遮音壁と
を有する請求項１に記載のマルチチャンネルヘッドホン。
【請求項３】
上記筐体が円筒形であり、かつ曲面を備え、
上記第１音声出力孔及び上記第２音声出力孔が上記筐体の曲面に形成されておりかつ上記筐体の曲面から内部に向けて陥凹しており、かつ互いに離間している
請求項２に記載のマルチチャンネルヘッドホン。
【請求項４】
上記筐体につながれているイヤーフックをさらに含む請求項２に記載のマルチチャンネルヘッドホン。
【請求項５】
上記筐体が円盤状であり、かつ周壁、及び上記区画に装着されているイヤープラグを備え、
上記第１音声出力孔が上記イヤープラグを貫通して形成されており、これにより上記区画と連通しており、
上記音声出力孔が第３音声出力孔をさらに含み、上記第２音声出力孔及び上記第３音声出力孔が対向して上記筐体の周壁に形成されており、これにより上記区画と連通している
請求項４に記載のマルチチャンネルヘッドホン。
【請求項６】
上記音声出力孔が第１音声出力孔及び２つの第２音声出力孔を含み、上記２つの第２音声出力孔が上記筐体の２つの対向する面に形成されており、上記音発生部のうちの１つによって生成される音が上記第１音声出力孔を通って直接伝搬し、
上記筐体が、
内側の面から内部に向けて陥凹している区画と、
他の音発生部に対応する上記区画の内壁上の位置に形成され、上記他の音発生部によって生成される音を屈折し、次いで上記第２音声出力孔を通って伝搬する遮音壁と
を有する請求項１に記載のマルチチャンネルヘッドホン。
【請求項７】
上記筐体が、
内側の面から内部に向けて陥凹している区画と、
内部に音誘導チャンネルが形成され、この音誘導チャンネルの一端が上記区画と連通しており、かつこの音誘導チャンネルの他端が内部に配置される外耳道挿入管と
を備え、
上記音声出力孔が、
上記外耳道挿入管の内側端に形成されている第１音声出力孔、及び上記外耳道挿入管の外周壁を貫いて対向して形成されておりかつ上記音誘導チャンネルと連通している第２音声出力孔及び第３音声出力孔であって、上記音発生部のうちの１つによって生成される音が上記第１音声出力孔を通って直接伝搬し、上記他の音発生部によって生成される音が上記第２音声出力孔、上記第３音声出力孔及び上記音誘導チャンネルを通って伝搬する第２音声出力孔及び第３音声出力孔を含む請求項１に記載のマルチチャンネルヘッドホン。
【請求項８】
上記音誘導チャンネルが、
内壁における上記音誘導チャンネルの他端に形成され、２つの面に形成される２つの斜面を有し、上記第２音声出力孔及び上記第３音声出力孔の開口部が、それぞれ上記斜面に面する隔壁と、
それぞれ上記隔壁の斜面に形成されている２つの遮断壁と
を備える請求項７に記載のマルチチャンネルヘッドホン。
【請求項９】
上記外耳道挿入管がキャップを備え、上記キャップが上記外耳道挿入管の内側端の周りに装着されており、ゴム製であり、かつそれぞれ上記第１音声出力孔、上記第２音声出力孔及び上記第３音声出力孔に対応して貫通される開口部を備える請求項８に記載のマルチチャンネルヘッドホン。
【請求項１０】
中に形成された複数の音声出力孔を備える筐体と、
上記筐体の内部に装着され、各々が音発生部を有し、上記音発生部のうちの１つによって生成される音は、上記音声出力孔のうちの１つを通って直接伝搬し、音発生部の残部によって生成される音は上記音声出力孔の残部を通って間接的に伝搬する複数のスピーカーユニットと
を含むマルチチャンネルヘッドホン。
【請求項１１】
上記筐体が、
内部に画定された第１区画、及び内部に画定され、上記第１区画の両側に配設された第２区画及び第３区画を備え、
上記第２区画の内壁に形成されている第１遮音壁と、
上記第３区画の内壁に形成されている第２遮音壁と
を有し、
上記音声出力孔が、それぞれ上記第１区画、上記第２区画及び上記第３区画と連通される第１音声出力孔、第２音声出力孔及び第３音声出力孔を含み、
上記スピーカーユニットが、
上記第１区画の内部に装着されている第１スピーカーユニットであって、この第１スピーカーユニットの音発生部によって生成される音が上記第１音声出力孔を通って直接伝搬する第１スピーカーユニットと、
上記第２区画の内部に装着されており、上記第１遮音壁に対応する上記第２区画の内壁から離間している第２スピーカーユニットであって、この第２スピーカーユニットの音発生部によって生成される音が上記第１遮音壁よって屈折する第２スピーカーユニットと、  上記第３区画の内部に装着されており、上記第２遮音壁に対応する上記第３区画の内壁から離間している第３スピーカーユニットであって、この第３スピーカーユニットの音発生部によって生成される音が上記第２遮音壁によって屈折する第３スピーカーユニットと
を含む請求項１０に記載のマルチチャンネルヘッドホン。
【請求項１２】
上記筐体が円筒形でありかつ２つの底面を備え、上記第１音声出力孔が上記底面のうちの一方の中心に形成されており、上記第２音声出力孔及び上記第３音声出力孔が上記第１音声出力孔の内壁の２つの位置に配設されている請求項１１に記載のマルチチャンネルヘッドホン。
【請求項１３】
上記筐体が円筒形であり、かつ曲面、第１端及び第２端を備え、上記第１区画、上記第２区画及び上記第３区画は上記筐体の第１端に隣接して配設された隔壁によって区分化されており、
上記第１音声出力孔が上記筐体の第１端から内部に向けて陥凹して形成されており、
上記第２音声出力孔及び上記第３音声出力孔が、上記筐体の上記曲面を貫通して径方向に対向して形成されており、
上記スピーカーユニットの音発生部によって生成される音が上記筐体の隔壁によって遮断されている
請求項１１に記載のマルチチャンネルヘッドホン。
【請求項１４】
上記スピーカーユニットがすべてバランスドアーマチュア型スピーカーである請求項１３に記載のマルチチャンネルヘッドホン。
【請求項１５】
上記第１スピーカーユニットがムービングコイル型スピーカーであり、かつ上記第２スピーカーユニット及び上記第３スピーカーユニットはバランスドアーマチュア型スピーカーである請求項１３に記載のマルチチャンネルヘッドホン。
【請求項１６】
複数の音声出力孔が内部に形成された筐体、及び上記筐体の内部に装着されており、かつ２つの音発生部を有し、上記音発生部のうちの一方によって生成される音が、上記音声出力孔のうちの１つを通って直接伝搬し、他方の音発生部によって生成される音が、他の音声出力孔を通って間接的に伝搬するスピーカーを備える２つのスピーカーユニットと、
上記２つのスピーカーユニットを対称的に配置して上記２つのスピーカーユニットをつなぐヘッドバンドと
を含むマルチチャンネルヘッドホン。
【請求項１７】
各スピーカーユニットの筐体が、中空かつ円盤状に形成され、かつ内部に画定される区画、及び上記区画の内壁に形成されている遮音壁を備え、
上記音声出力孔が第１音声出力孔及び複数の第２音声出力孔を含み、
各スピーカーユニットが、皿の形状をしており、上記区画の内部に装着されている音誘導部材を有し、
上記音誘導部材の中心に形成されている装着用部分、及び装着用部分の片側に形成され、上記第１音声出力孔が貫通し、かつ上記装着用部分と連通しており、上記第２音声出力孔が上記音誘導部材の周縁部に互いに離間して形成されている音誘導片
を有する音誘導部材と、
上記筐体に装着されたイヤークッションと
をさらに備え、
上記スピーカーが上記音誘導部材の上記装着用部分の内部に装着されており、かつ第１音発生部及び第２音発生部を有し、上記第２音発生部によって生成される音が上記第１音声出力孔を通って直接伝搬し、上記第２音発生部が上記区画の内壁から離間しており、上記第２音発生部によって生成される音が上記区画の内壁によって屈折する請求項１６に記載のマルチチャンネルヘッドホン。
【請求項１８】
上記第１音発生部によって生成される音が上記遮音壁によって屈折し、次いで上記第２音声出力孔を通って伝搬する請求項１７に記載のマルチチャンネルヘッドホン。
【請求項１９】
複数の音声出力孔を内部に有する筐体、及び各々上記筐体の内部に装着されておりかつ少なくとも１つの音発生部を有し、上記音発生部のうちの１つによって生成される音が上記音声出力孔のうちの１つを通って直接伝搬し、上記音発生部の残部によって生成される音が他の音声出力孔を通って間接的に伝搬する複数のスピーカーを備える２つのスピーカーユニットと、
上記２つのスピーカーユニットを対称的に配置して上記２つのスピーカーユニットをつなぐヘッドバンドと
を含むマルチチャンネルヘッドホン。
【請求項２０】
各スピーカーユニットの筐体が、
上記筐体内に画定された区画、
各々対向して上記筐体の内壁に装着され、かつ上記内壁から離間して貫通される貫通孔を有する２つの誘導壁、及び
各誘導壁に対応する上記筐体の内壁上の位置に形成されている遮音壁
を備え、
各スピーカーユニットが、
上記筐体の区画の内部に装着され、
開口端、
閉端、及び
対向して周囲に形成されており、径方向に突設する２つの突出部であって、各突出部が上記突出部を貫いて形成されている誘導孔を備える２つの突出部
を備える音誘導片と、
上記音誘導片に装着され、
中心に形成されている第１装着用部分、
上記第１装着用部分の内側の面から内側に向けて突設し、かつ貫いて形成されている第１誘導孔を備える第１音誘導管、及び
対向して上記第１装着用部分の外周壁に形成されている第２装着用部分及び第３装着用部分
を備える装着用フレームと、
上記筐体に装着され、
貫通して中心に形成されている第１音声出力孔、
上記第１音声出力孔に対して２つの対向する位置を貫いて形成されている２つの第２音声出力孔、及び
上記第１音声出力孔に対して別の２つの対向する位置を貫いて形成されている２つの第３音声出力孔
を備える被覆プレートと
をさらに備え、
上記第１音声出力孔が上記装着用フレームの上記第１誘導孔と連通しており、上記第２音声出力孔が、それぞれ上記音誘導片の上記誘導孔と連通しており、各第３音声出力孔が、対応する誘導壁と遮音壁との間の空間と連通しており、
各スピーカーユニットのスピーカーが、
上記装着用フレームの上記第１装着用部分の内部に装着され、２つの対向する面に形成された第１音発生部及び第２音発生部を有し、上記第１音発生部によって生成される音が上記第１誘導孔を通って直接伝搬し、上記第２音発生部によって生成される音が上記音誘導片の内壁によって屈折し、次いで上記音誘導片の誘導孔を通って伝搬する第１スピーカー、
上記第２装着用部分に装着されており、かつ上記筐体の中の上記誘導壁のうちの一方にある貫通孔に面する音発生部を備える第２スピーカー、及び
上記第３装着用部分に装着されており、かつ上記筐体の中の他方の誘導壁にある貫通孔に面する音発生部を備える第３スピーカー
を含む請求項１９に記載のマルチチャンネルヘッドホン。
【請求項２１】
各スピーカーユニットの筐体が、
内側の面から内部に向けて陥凹している装着用チャンバー、及び
上記装着用フレームの第１装着用部分と上記装着用チャンバーとの間に対向して形成されている２つの第４誘導孔
を備え、
各スピーカーユニットが、上記装着用チャンバーの内部に装着されている予備スピーカーユニットをさらに備え、
上記予備スピーカーユニットが、
上記筐体の内側を通過する音を生成する第１音発生部、及び
上記２つの第４誘導孔を通って上記筐体の外側を伝搬する音を生成する第２音発生部
を備える請求項２０に記載のマルチチャンネルヘッドホン。
【請求項２２】
２つの音声出力孔が内部に形成された筐体と、
上記筐体の内部に装着されており、かつ２つの音発生部が装着され、上記音発生部のうちの一方によって生成される音が上記音声出力孔のうちの一方を通って間接的に伝搬し、他方の音発生部によって生成される音が他方の音声出力孔を通って間接的に伝搬するスピーカーユニットと
を含むマルチチャンネルヘッドホン。
【請求項２３】
上記筐体が、
内側の面から内部に向けて陥凹している区画と、
上記音発生部のうちの１つに対応する上記区画の内壁上の位置に形成され、上記音発生部のうちの１つによって生成される音を屈折し、次いで上記第１音声出力孔を通って伝搬する第１遮音壁と、
上記他の音発生部に対応する上記区画の内壁上の位置に形成され、上記他の音発生部によって生成される音が上記第２遮音壁によって屈折し、次いで上記第２音声出力孔を通って伝搬する第２遮音壁と
を備える請求項２２に記載のマルチチャンネルヘッドホン。
【請求項２４】
上記筐体が円筒形であり、かつ曲面を備え、
上記第１音声出力孔及び第２音声出力孔が上記筐体の上記曲面に形成されておりかつ上記筐体の上記曲面から内部に向けて陥凹しており、かつ互いに離間している
請求項２３に記載のマルチチャンネルヘッドホン。
【発明の詳細な説明】
【技術分野】
【０００１】
本発明はヘッドホンに関し、より具体的には複数の音誘導チャンネルを通したステレオ音響効果をもたらすマルチチャンネルヘッドホンに関する。
【背景技術】
【０００２】
ヘッドホンは音源デバイスにつながれ、これにより、使用者がヘッドホンを着用し、音源デバイスが電子信号をヘッドホンへと出力し、ヘッドホンがその電子信号を可聴音へと変換した後に、使用者は音源デバイスから出力される音声情報を聴くことができる。
【０００３】
特許文献１（発明の名称「ヘッドホン」）に開示されるように、従来のヘッドホンは、筐体と、ブラケットと、第１スピーカーユニットと、第２スピーカーユニットとを備える。本体は主音声出力チャンネルを備える。筐体の内部に配設されたブラケットは前プレートと、第１管部と、第２管部と、接続部とを含む。前プレートは、中央開口及び中央開口の周辺にある複数の周囲開口を備える。第１管部は前プレートに接続され、第１収容空間を備える。第２管部は第１管部から分離され、第２収容空間を備える。第１収容空間は中央開口を介して主音声出力チャンネルと連通している。第２収容空間は周囲開口を介して主音声出力チャンネルと連通している。第１スピーカーユニットは第１収容空間内に配設され、第２スピーカーは第２収容空間内に配設されている。
【０００４】
第１スピーカーユニットによって発生される音は中央開口を介して主音声出力チャンネルに伝送され、第２スピーカーユニットによって発生される音は周囲開口を介して主音声出力チャンネルに伝送される。第１スピーカーユニット及び第２スピーカーユニットによって発生される音は主音声出力チャンネルで混ざり、そのあと使用者の耳に伝送され、広域の可聴帯域出力周波数及び均一な周波数応答をもたらす。
【０００５】
しかしながら、広域の音声出力周波数を選ぶとしても、上記の従来のヘッドホンは依然として、１つの音声出力チャンネルはヘッドホンの片側でしか利用できないという構成を有する。それは、使用者が、３以上の音声出力チャンネルによってもたらされるステレオ音響効果ではなく２チャンネル音声出力しか聴くことができないということを意味する。
【先行技術文献】
【特許文献】
【０００６】
【特許文献１】台湾特許出願公開第２０１２１６７２５号明細書
【発明の概要】
【発明が解決しようとする課題】
【０００７】
本発明は、音が直接的及び間接的な音チャンネルを通って伝搬することによる重層的な聴感及びステレオ音響効果をもたらすマルチチャンネルヘッドホンを提供することを目的とする。
【課題を解決するための手段】
【０００８】
上記の目的を成し遂げるために、マルチチャンネルヘッドホンは筐体とスピーカーユニットとを備える。
【０００９】
上記筐体はその筐体の中に形成された複数の音声出力孔を備える。
【００１０】
上記スピーカーユニットは筐体の内部に装着されており、このスピーカーユニットには複数の音発生部が装着されている。上記音発生部のうちの１つによって生成される音は音声出力孔のうちの１つを通って直接伝搬し、少なくとも１つの別の音発生部によって生成される音はそれぞれの音声出力孔を通って間接的に伝搬する。
【００１１】
上記の目的を成し遂げるために、マルチチャンネルヘッドホンは筐体と複数のスピーカーユニットとを備える。
【００１２】
上記筐体はその筐体の中に形成された複数の音声出力孔を備える。
【００１３】
上記スピーカーユニットは筐体の内部に装着されている。各スピーカーユニットの中には音発生部が装着されている。上記音発生部のうちの１つによって生成される音は、音声出力孔のうちの１つを通って直接伝搬し、音発生部の残部によって生成される音は音声出力孔の残部を通って間接的に伝搬する。
【００１４】
上記の目的を成し遂げるために、マルチチャンネルヘッドホンは２つのスピーカーユニットとヘッドバンドとを備える。
【００１５】
各スピーカーユニットは筐体とスピーカーとを備える。
【００１６】
上記筐体はその筐体の中に形成された複数の音声出力孔を備える。上記スピーカーは筐体の内部に装着されており、かつ２つの音発生部を備える。これらの音発生部のうちの一方によって生成される音は、上記音声出力孔のうちの１つを通って直接伝搬し、他方の音発生部によって生成される音は、他の音声出力孔を通って間接的に伝搬する。
【００１７】
上記ヘッドバンドは、２つのスピーカーユニットを対称的に配置してそれら２つのスピーカーユニットの間をつなぐ。
【００１８】
上記の目的を成し遂げるために、マルチチャンネルヘッドホンは筐体とスピーカーユニットとを備える。
【００１９】
上記筐体は、その中に形成された２つの音声出力孔を備える。
【００２０】
上記スピーカーユニットは筐体の内部に装着されており、このスピーカーユニットには２つの音発生部が装着されている。上記音発生部のうちの一方によって生成される音は音声出力孔のうちの一方を通って間接的に伝搬し、他方の音発生部によって生成される音は他方の音声出力孔を通って間接的に伝搬する。
【００２１】
上記のマルチチャンネルヘッドホンの場合、１以上のスピーカーユニットによって生成される音は、生成された音が直接伝搬するための、又は屈折してから伝搬するための複数の独立の音チャンネルを通って使用者の外耳の耳道へと伝搬することができる。従って、音が異なる音チャンネルを通って耳道に到達するための様々な時間のため、重層的な聴感及びステレオ音響効果が成し遂げられうる。
【００２２】
本発明の他の目的、利点及び新規な特徴は、添付の図面と合わせて考察すれば以下の詳細な説明からより明らかになるであろう。
【図面の簡単な説明】
【００２３】
【図１】本発明に係るマルチチャンネルヘッドホンの第１の実施形態の斜視図である。
【図２Ａ】図１のマルチチャンネルヘッドホンの側面（部分的に断面）図である。
【図２Ｂ】スピーカーユニットにおけるレイアウトが異なる図１のマルチチャンネルヘッドホンの側面（部分的に断面）図である。
【図３】本発明に係るマルチチャンネルヘッドホンの第２の実施形態の斜視図である。
【図４】図３のマルチチャンネルヘッドホンの拡大断面図である。
【図５】本発明に係るマルチチャンネルヘッドホンの第３の実施形態の斜視図である。
【図６】図５のマルチチャンネルヘッドホンの拡大断面図である。
【図７】本発明に係るマルチチャンネルヘッドホンの第４の実施形態の斜視図である。
【図８】図７のマルチチャンネルヘッドホンの分解斜視図である。
【図９】図７のマルチチャンネルヘッドホンの断面図である。
【図１０】図７のマルチチャンネルヘッドホンの別の断面図である。
【図１１】本発明に係るマルチチャンネルヘッドホンの第５の実施形態の斜視図である。
【図１２】図１１のマルチチャンネルヘッドホンの分解斜視図である。
【図１３】図１１のマルチチャンネルヘッドホンの断面図である。
【図１４】図１１のマルチチャンネルヘッドホンの別の断面図である。
【図１５】本発明に係るマルチチャンネルヘッドホンの第６の実施形態の斜視図である。
【図１６】図１５のマルチチャンネルヘッドホンの断面図である。
【図１７】本発明に係るマルチチャンネルヘッドホンの第７の実施形態の斜視図である。
【図１８】図１７のマルチチャンネルヘッドホンの分解斜視図である。
【図１９】図１７のマルチチャンネルヘッドホンの断面図である。
【図２０】図１７のマルチチャンネルヘッドホンの別の断面図である。
【図２１】本発明に係るマルチチャンネルヘッドホンの第８の実施形態の斜視図である。
【図２２】図２１のマルチチャンネルヘッドホンの分解斜視図である。
【図２３】図２１のマルチチャンネルヘッドホンの断面図である。
【図２４】本発明に係るマルチチャンネルヘッドホンの第９の実施形態の斜視図である。
【図２５】図２４のマルチチャンネルヘッドホンの分解斜視図である。
【図２６】図２４のマルチチャンネルヘッドホンの断面図である。
【図２７】図２４のマルチチャンネルヘッドホンの別の断面図である。
【図２８】本発明に係るマルチチャンネルヘッドホンの第１０の実施形態の断面図である。
【図２９】図２８のマルチチャンネルヘッドホンの別の断面図である。
【発明を実施するための形態】
【００２４】
以下の説明における必要な方向を定義するために、「内側」方向は使用者の外耳の耳道に対して近位の方向を指し、「外側」方向は使用者の外耳の耳道に対して遠位の方向を指す。
【００２５】
図１及び図２Ａに示すように、本発明に係るマルチチャンネルヘッドホンの第１の実施形態は筐体１０とスピーカーユニット２０とを備える。
【００２６】
筐体１０は円筒形であり、かつ区画１１と、第１音声出力孔１２と、第２音声出力孔１３とワイヤー孔１４とを備える。区画１１は筐体１０の内部に画定されている。第１音声出力孔１２、第２音声出力孔１３及びワイヤー孔１４は、筐体１０の曲面に形成されており、区画１１と連通するようにその筐体１０の曲面から内部に向けて陥凹している。スピーカーユニット２０はムービングコイル型スピーカーであり、かつスピーカーユニット２０の２つの対向する面にそれぞれ形成された第１音発生部２１及び第２音発生部２２を備える。第１音声出力孔１２及び第２音声出力孔１３が互いに連通しないように、スピーカーユニット２０は区画１１の内部に装着されている。スピーカーユニット２０の電気回路は、ワイヤー孔１４を通って筐体１０の外へと延設されている。第２音発生部２２によって生成される音は第２音声出力孔１３の開口部を通って直接伝搬する。遮音壁１１０は、第１音発生部２１と対向しかつ第１音発生部２１から離間して、区画１１の内壁に形成されている。第１音発生部２１によって生成される音は、第１音声出力孔１２を直接伝搬するのではなく、まず遮音壁１１０によって後退し、次いで第１音声出力孔１２を通って伝搬する。
【００２７】
本実施形態が使用されるとき、第２音声出力孔１３の開口部が外耳の耳道に直接に面し、かつ第１音声出力孔１３が外耳の耳介に置かれてかつ耳介の内壁に面するように、筐体１０が使用者の耳の外耳に設置される。スピーカーユニット２０の第１音発生部２１及び第２音発生部２２が同時に音を生成すると、第２音発生部２２によって生成される音は第２音声出力孔１３を通って耳道へと伝搬し、第１音発生部２１によって生成される音はまず遮音壁１１０によって屈折し、次いで第１音声出力孔１２を通って耳道へと伝搬する。第１音発生部２１によって生成される音は耳道へと伝搬する前に屈折するので、第１音発生部２１によって生成される音が耳道へと伝搬する速度は、第２音発生部２２によって生成される音の速度よりも低く、このため、重層的な聴感がもたらされうる。第１音声出力孔１２及び第２音声出力孔１３は独立に形成され、かつ第１音声出力孔１２及び第２音声出力孔１３における音伝搬経路は互いに異なるので、ステレオ音響効果を発生させることができ、これにより使用者がより良好な聴感を享受することができる。
【００２８】
図２Ｂに示すように、第２音発生部２２’は、第２音声出力孔１３の開口部に面するように配置されてもよい。第１遮音壁１１０は、第１音声出力孔１２の内壁に形成され、第１音発生部２１に面する。第１音発生部２１によって生成される音は第１遮音壁１１０によって屈折し、次いで第１音声出力孔１２の開口部を通って伝搬する。第２遮音壁１２０は、第２音声出力孔１３の内壁に形成され、第２音発生部２２’に面する。第２音発生部２２’によって生成される音は、まず第２遮音壁１２０によって後退し、次いで第２音声出力孔１３を通って伝搬する。
【００２９】
本実施形態が使用されるとき、第１音声出力孔１２の開口部が外耳の耳道に直接に面し、かつ第２音声出力孔１３が外耳の耳介に置かれてかつ耳介の内壁に面するように、筐体１０が使用者の耳の外耳に設置される。スピーカーユニット２０の第１音発生部２１及び第２音発生部２２’が同時に音を生成すると、第１音発生部２１によって生成される音は第１遮音壁１１０によって屈折し、次いで第１音声出力孔１２を通って耳道へと伝搬し、第２音発生部２２’によって生成される音はまず第２遮音壁１２０によって屈折し、次いで第２音声出力孔１３を通って耳道へと伝搬する。第１音発生部２１及び第２音発生部２２’によって生成される音は異なる経路を通って耳道へと伝搬するので、重層的な聴感がもたらされうる。
【００３０】
図３及び図４に示すように、本発明に係るマルチチャンネルヘッドホンの第２の実施形態は筐体１０Ａとスピーカーユニット２０Ａとを備える。
【００３１】
筐体１０Ａは円盤状であり、かつ区画１１Ａと、第１音声出力孔１２Ａと、２つの第２音声出力孔１３Ａと、ワイヤー孔１４Ａとを備える。区画１１Ａは筐体１０Ａの内部に画定される。第１音声出力孔１２Ａは筐体１０Ａの２つの端面のうちの一方に形成されており、その筐体１０Ａの２つの端面のうちの一方から内部に向けて陥凹している。２つの開口部が筐体１０Ａの外周表面上に対向して置かれるように、第２音声出力孔１３Ａは筐体１０Ａを貫いて横方向に形成される。ワイヤー孔１４Ａは筐体１０Ａの外周表面に形成されており、この筐体１０Ａの外周表面から内部に向けて陥凹している。第１音声出力孔１２Ａ、第２音声出力孔１３Ａ及びワイヤー孔１４Ａは区画１１Ａと連通している。
【００３２】
スピーカーユニット２０Ａはムービングコイル型スピーカーであり、スピーカーユニット２０Ａの２つの対向する面にそれぞれ形成された第１音発生部２２Ａ及び第２音発生部２１Ａを備える。第１音声出力孔１２Ａ及び第２音声出力孔１３Ａが互いに連通しないように、スピーカーユニット２０Ａは区画１１Ａの内部に装着されている。スピーカーユニット２０Ａの電気回路は、ワイヤー孔１４Ａを通って筐体１０Ａの外へと延設されている。第１音発生部２２Ａによって生成される音は第１音声出力孔１２Ａの開口部を通って直接伝搬する。第２音発生部２１Ａの外面及び区画１１Ａの対向する内壁は離間している。遮音壁１１０Ａが区画１１Ａのその対向する内壁に形成されている。第２音発生部２１Ａによって生成される音は、第２音声出力孔１３Ａを通って直接伝搬するのではなく、まず遮音壁１１０Ａによって屈折し、次いで第２音声出力孔１３Ａを通って伝搬する。
【００３３】
本実施形態が使用されるとき、第１音声出力孔１２Ａの開口部が外耳の耳道に直接に面し、かつ第２音声出力孔１３Ａが外耳の耳介に置かれてかつ耳介の内壁に面するように、筐体１０Ａが使用者の耳の外耳に設置される。スピーカーユニット２０の第１音発生部２２Ａ及び第２音発生部２１Ａが同時に音を生成すると、第１音発生部２２Ａによって生成される音は第１音声出力孔１２を通って耳道へと伝搬し、第２音発生部２１Ａによって生成される音はまず遮音壁１１０Ａによって屈折し、次いで第２音声出力孔１３Ａを通って耳道へと伝搬する。第２音発生部２１Ａによって生成される音は耳道へと伝搬する前に屈折するので、第２音発生部２１Ａによって生成される音が耳道へと伝搬する速度は、第１音発生部２２Ａによって生成される音の速度よりも低く、このため、重層的な聴感がもたらされうる。第１音声出力孔１２及び第２音声出力孔１３は独立に形成され、かつ第１音声出力孔１２及び第２音声出力孔１３における音伝搬経路は互いに異なるので、ステレオ音響効果を発生させることができ、これにより使用者がより良好な聴感を享受することができる。
【００３４】
図５及び図６に示すように、本発明に係るマルチチャンネルヘッドホンの第３の実施形態はイヤープラグ型ヘッドホンであり、これは筐体１０Ｂと３つのスピーカーユニット２０Ｂ、２１Ｂ、２２Ｂとを備える。
【００３５】
筐体１０Ｂは円筒形であり、かつ第１区画１１Ｂと、第２区画１２Ｂと、第３区画１３Ｂと、第１音声出力孔１４Ｂと、第２音声出力孔１５Ｂと、第３音声出力孔１６Ｂと、ワイヤー孔１７Ｂとを備える。第１区画１１Ｂ、第２区画１２Ｂ及び第３区画１３Ｂは、筐体１０Ｂの内部で区分化されている。第１区画１１Ｂは筐体１０Ｂの２つの端面のうちの一方に隣接している。第２区画１２Ｂ及び第３区画１３Ｂは筐体１０Ｂの曲面に隣接している。第１音声出力孔１４Ｂ、第２音声出力孔１５Ｂ及び第３音声出力孔１６Ｂは第１区画１１Ｂに隣接した端面に形成されており、その第１区画１１Ｂに隣接した端面から内部に向けて陥凹しており、第２音声出力孔１５Ｂ及び第３音声出力孔１６Ｂは第１音声出力孔１４Ｂの脇に形成されている。第１音声出力孔１４Ｂ、第２音声出力孔１５Ｂ及び第３音声出力孔１６Ｂはそれぞれ第１区画１１Ｂ、第２区画１２Ｂ及び第３区画１３Ｂと連通している。ワイヤー孔１７Ｂも第１区画１１Ｂ、第２区画１２Ｂ及び第３区画１３Ｂと連通している。
【００３６】
第１音発生部は各スピーカーユニット２０Ｂ、２１Ｂ、２２Ｂの片側に装着されている。第２音発生部は各スピーカーユニット２０Ｂ、２１Ｂ、２２Ｂの反対側に装着されている。スピーカーユニット２０Ｂ、２１Ｂ、２２Ｂは、第１スピーカーユニット２０Ｂ、第２スピーカーユニット２１Ｂ及び第３スピーカーユニット２２Ｂを含む。第１スピーカーユニット２０Ｂは第１区画１１Ｂの内部に装着されている。第２スピーカーユニット２１Ｂは第２区画１２Ｂの内部に装着されている。第３スピーカーユニット２２Ｂは第３区画１３Ｂの内部に装着されている。第１スピーカーユニット２０Ｂ、第２スピーカーユニット２１Ｂ及び第３スピーカーユニット２２Ｂの電気回路は、ワイヤー孔１７Ｂを通って筐体１０Ｂの外へと延設されている。第１スピーカーユニット２０Ｂの第１音発生部によって生成される音は、第１音声出力孔１４Ｂの開口部を通って直接伝搬する。第２スピーカーユニット２１Ｂの第１音発生部及び第２区画１２Ｂの内壁は離間している。第１遮音壁１２０Ｂは第２区画１２Ｂの内壁に形成されておりかつ第２スピーカーユニット２１Ｂの第１音発生部に面する。第２スピーカーユニット２１Ｂの第１音発生部によって生成される音は、第２音声出力孔１５Ｂを通って直接伝搬するのではなく、遮音壁１２０Ｂによって屈折し、そのあと第２音声出力孔１５Ｂを通って伝搬する。第３スピーカーユニット２２Ｂの第１音発生部及び第３区画１３Ｂの内壁は離間している。第２遮音壁１３０Ｂは第３区画１３Ｂの内壁に形成されており、かつ第３スピーカーユニット２２Ｂの第１音発生部に面する。第３スピーカーユニット２２Ｂの第１音発生部によって生成される音は、第３音声出力孔１６Ｂを通って直接伝搬するのではなく、第２遮音壁１３０Ｂによって屈折し、そのあと第３音声出力孔１６Ｂを通って伝搬する。第１スピーカーユニット２０Ｂ、第２スピーカーユニット２１Ｂ及び第３スピーカーユニット２２Ｂの第２音発生部は互いに隣接している。
【００３７】
本実施形態が使用されるとき、第１音声出力孔１４Ｂの開口部が外耳の耳道に直接に面し、かつ第２音声出力孔１５Ｂ及び第３音声出力孔１６Ｂが外耳の耳介に置かれてかつ耳介の内壁に面するように、筐体１０Ｂが使用者の耳の外耳に設置される。第１スピーカーユニット２０Ｂの第１音発生部が音を生成すると、生成された音は、第１音声出力孔１４Ｂを通って耳道へと伝搬する。第２スピーカーユニット２１Ｂの第１音発生部によって生成される音は、まず第１遮音壁１２０Ｂによって屈折し、次いで第２音声出力孔１５Ｂを通って耳道へと伝搬する。第３スピーカーユニット２２Ｂの第１音発生部によって生成される音は、まず第２遮音壁１３０Ｂによって屈折し、次いで第３音声出力孔１６Ｂを通って耳道へと伝搬する。第２スピーカーユニット２１Ｂ及び第３スピーカーユニット２２Ｂによって生成される音は耳道へと伝搬する前に屈折するので、第２スピーカーユニット２１Ｂ及び第３スピーカーユニット２２Ｂによって生成される音が耳道へと伝搬する速度は、第１スピーカーユニット２０Ｂによって生成される音の速度よりも低く、このため、重層的な聴感がもたらされうる。第１音声出力孔１４Ｂ、第２音声出力孔１５Ｂ及び第３音声出力孔１６Ｂは独立に形成され、かつ第１音声出力孔１４Ｂ、第２音声出力孔１５Ｂ及び第３音声出力孔１６Ｂにおける音伝搬経路は互いに異なるので、ステレオ音響効果を発生させることができ、これにより使用者がより良好な聴感を享受することができる。
【００３８】
図７〜図１０に示すように、本発明に係るマルチチャンネルヘッドホンの第４の実施形態は筐体１０Ｃと３つのスピーカーユニット２０Ｃ、２１Ｃ、２２Ｃとを備える。
【００３９】
筐体１０Ｃは円筒形であり、かつ第１区画１１Ｃと、第２区画１２Ｃと、第３区画１３Ｃと、第１音声出力孔１５Ｃと、第２音声出力孔１６Ｃと、第３音声出力孔１７Ｃとを備える。第１区画１１Ｃ、第２区画１２Ｃ及び第３区画１３Ｃは、筐体１０Ｃの第１端に隣接して置かれた隔壁１４Ｃによって相互に隔てられている。第１音声出力孔１５Ｃは筐体１０Ｃの第１端に形成されておりかつ筐体１０Ｃの第１端から内部に向けて陥凹しており、かつ長軸方向に第１区画１１Ｃと連通している。第２音声出力孔１６Ｃ及び第３音声出力孔１７Ｃは、筐体１０Ｃの曲面を貫通して径方向に及び対向して形成されており、第２音声出力孔１６Ｃは第２区画１２Ｃと連通しており、第３音声出力孔１７Ｃは第３区画１３Ｃと連通している。
【００４０】
スピーカーユニット２０Ｃ、２１Ｃ、２２Ｃはバランスドアーマチュア型スピーカーユニットであり、第１スピーカーユニット２０Ｃ、第２スピーカーユニット２１Ｃ及び第３スピーカーユニット２２Ｃを含む。音発生部は各スピーカーユニット２０Ｃ、２１Ｃ、２２Ｃの細いネックの端に装着されている。第１スピーカーユニット２０Ｃ、第２スピーカーユニット２１Ｃ及び第３スピーカーユニット２２Ｃは、それぞれ第１区画１１Ｃ、第２区画１２Ｃ及び第３区画１３Ｃの内部に装着されている。第１スピーカーユニット２０Ｃ、第２スピーカーユニット２１Ｃ及び第３スピーカーユニット２２Ｃの音発生部は隔壁１４Ｃによって遮断されており、互いに連通していない。第１スピーカーユニット２０Ｃ、第２スピーカーユニット２１Ｃ及び第３スピーカーユニット２２Ｃの電気回路は、第１端と反対側の当該筐体の第２端を通って筐体１０Ｃの外へと延設されている。
【００４１】
図９に更に示すように、第１スピーカーユニット２０Ｃの音発生部によって生成される音は第１音声出力孔１５Ｃを通って直接伝搬する。図１０に更に示すように、第２スピーカーユニット２１Ｃの音発生部の外面及び第２区画１２Ｃの対向する内壁は離間している。第１遮音壁１２０Ｃは第２区画１２Ｃのその対向する内壁に形成されている。第２スピーカーユニット２１Ｃの音発生部は、第２音声出力孔１６Ｃに直接に面するのではなく、第１遮音壁１２０Ｃに面する。第３スピーカーユニット２２Ｃの音発生部の外面及び第３区画１３Ｃの対向する内壁は離間している。第２遮音壁１３０Ｃは第３区画１３Ｃのその対向する内壁に形成されている。第３スピーカーユニット２２Ｃの音発生部によって生成される音は、第２音声出力孔１７Ｃを通って直接伝搬するのではなく、第２遮音壁１３０Ｃによって屈折し、そのあと第２音声出力孔１７Ｃを通って伝搬する。
【００４２】
本実施形態が使用されるとき、第１音声出力孔１５Ｃの開口部が外耳の耳道に直接に面し、かつ第２音声出力孔１６Ｃ及び第３音声出力孔１７Ｃが外耳の耳介に置かれてかつ耳介の内壁に面するように、筐体１０Ｃが使用者の耳の外耳に設置される。第１スピーカーユニット２０Ｃの音発生部が音を生成すると、生成された音は第１音声出力孔１５Ｃを通って耳道へと伝搬する。第２スピーカーユニット２１Ｃによって生成される音は、まず第１遮音壁１２０Ｃによって屈折し、次いで第２音声出力孔１６Ｃを通って耳道へと伝搬する。第３スピーカーユニット２２Ｃによって生成される音は、まず第２遮音壁１３０Ｃによって屈折し、次いで第３音声出力孔１７Ｃを通って耳道へと伝搬する。第２スピーカーユニット２１Ｃ及び第３スピーカーユニット２２Ｃによって生成される音は耳道へと伝搬する前に屈折するので、第２スピーカーユニット２１Ｃ及び第３スピーカーユニット２２Ｃによって生成される音が耳道へと伝搬する速度は、第１スピーカーユニット２０Ｃによって生成される音の速度よりも低く、このため、重層的な聴感がもたらされうる。第１音声出力孔１５Ｃ、第２音声出力孔１６Ｃ及び第３音声出力孔１７Ｃは独立に形成され、かつ第１音声出力孔１５Ｃ、第２音声出力孔１６Ｃ及び第３音声出力孔１７Ｃにおける音伝搬経路は互いに異なるので、ステレオ音響効果を発生させることができ、これにより使用者がより良好な聴感を享受することができる。
【００４３】
図１１〜図１４に示すように、本発明に係るマルチチャンネルヘッドホンの第５の実施形態はイヤープラグ型ヘッドホンであり、これは筐体と３つのスピーカーユニット２０Ｄ、２１Ｄ、２２Ｄを備える。
【００４４】
上記筐体は内側筐体１０Ｄと外側筐体１１Ｄとを備える。内側筐体１０Ｄは円筒形である。内側筐体１０Ｄは第２区画１３Ｄと、第３区画１４Ｄと、第１音声出力孔１６Ｄと、第２音声出力孔１７Ｄと、第３音声出力孔１８Ｄとを備える。第２区画１３Ｄ及び第３区画１４Ｄは内側筐体１０Ｄの外側端に形成されており、隔壁１５Ｄが第２区画１３Ｄと第３区画１４Ｄとの間に形成されており、これにより第２区画１３Ｄ及び第３区画１４Ｄが隔てられる。第２区画１３Ｄ及び第３区画１４Ｄは、それぞれ、内側筐体１０Ｄの外側端に第２開口部及び第３開口部を備える。第１音声出力孔１６Ｄは、内側筐体１０Ｄを貫通して長軸方向に形成されている。第２音声出力孔１７Ｄ及び第３音声出力孔１８Ｄは、内側筐体１０Ｄの曲面に、径方向に及び対向して形成されておりかつ内側筐体１０Ｄのその曲面から内部に向けて陥凹しており、かつそれぞれ第２区画１３Ｄ及び第３区画１４Ｄと連通している。外側筐体１１Ｄは円盤状であり、内側筐体１０Ｄにつながれており、かつ第１区画１２Ｄを備える。第１開口部１２０Ｄが外側筐体１１Ｄの内側に置かれるように、第１区画１２Ｄは外側筐体１１Ｄの内側に形成されている。外側筐体１１Ｄの第１開口部１２０Ｄは、内側筐体１０Ｄの外側端につながれている。第１区画１２Ｄは第１開口部１２０Ｄを通って第１音声出力孔１６Ｄと連通している。
【００４５】
スピーカーユニット２０Ｄ、２１Ｄ、２２Ｄは第１スピーカーユニット２０Ｄ、第２スピーカーユニット２１Ｄ、及び第３スピーカーユニット２２Ｄを含む。第１スピーカーユニット２０Ｄはムービングコイル型スピーカーであり、円盤状であり、それぞれ第１スピーカーユニット２０Ｄの２つの反対側の面に形成された第１音発生部２００Ｄ及び第２音発生部２０１Ｄを備える。第１スピーカーユニット２０Ｄは、第１音発生部２００Ｄを第１区画１２Ｄの第１開口部１２０Ｄ及び第２音声出力孔１７Ｄの開口部に向けて、第１区画１２Ｄの内部に装着されている。
【００４６】
第２スピーカーユニット２１Ｄ及び第３スピーカーユニット２２Ｄはバランスドアーマチュア型スピーカーであり、円筒形であり、それぞれ内側筐体１０Ｄの第２区画１３Ｄ及び第３区画１４Ｄの内部に装着されている。第２スピーカーユニット２１Ｄはその１つの端部に装着された音発生部２１０Ｄを備える。第３スピーカーユニット２２Ｄはその１つの端部に装着された音発生部２２０Ｄを備える。第２スピーカーユニット２１Ｄ及び第３スピーカーユニット２２Ｄの音発生部２１０Ｄ、２２０Ｄは隔壁１５Ｄによって隔てられており、互いに連通していない。
【００４７】
第２スピーカーユニット２１Ｄ及び第２区画１３Ｄの内壁は離間している。第１遮音壁１３０Ｄは第２区画１３Ｄの内壁に形成されている。第２スピーカーユニット２１Ｄの音発生部２１０Ｄによって生成される音は、第２音声出力孔１７Ｄの開口部を通って直接伝搬するのではなく、第１遮音壁１３０Ｄによって屈折し、そのあと第２音声出力孔１７Ｄを通って伝搬する。第３スピーカーユニット２２Ｄ及び第３区画１４Ｄの内壁は離間している。第２遮音壁１４０Ｄは第３区画１４Ｄの内壁に形成されている。第３スピーカーユニット２２Ｄの音発生部２２０Ｄによって生成される音は、第３音声出力孔１８Ｄを通って直接伝搬するのではなく、第２遮音壁１４０Ｄによって屈折し、そのあと第３音声出力孔１８Ｄを通って伝搬する。
【００４８】
本実施形態が使用されるとき、第１音声出力孔１６Ｄの開口部が外耳の耳道に直接に面し、かつ第２音声出力孔１７Ｄ及び第３音声出力孔１８Ｄが外耳の耳介に置かれてかつ耳介の内壁に面するようにして、筐体１０Ｄが使用者の耳の外耳に設置される。第１スピーカーユニット２０Ｄの第１音発生部２００Ｄが音を生成すると、生成された音は第１音声出力孔１６Ｄを通って耳道へと伝搬する。第２スピーカーユニット２１Ｄの音発生部２１０Ｄによって生成される音はまず第１遮音壁１３０Ｄによって屈折し、次いで第２音声出力孔１７Ｄを通って耳道へと伝搬する。第３スピーカーユニット２２Ｄの音発生部２２０Ｄによって生成される音は、まず第２遮音壁１４０Ｄによって屈折し、次いで第３音声出力孔１８Ｄを通って耳道へと伝搬する。第２スピーカーユニット２１Ｄ及び第３スピーカーユニット２２Ｄによって生成される音は耳道へと伝搬する前に屈折するので、第２スピーカーユニット２１Ｄ及び第３スピーカーユニット２２Ｄによって生成される音が耳道へと伝搬する速度は、第１スピーカーユニット２０Ｄによって生成される音の速度よりも低く、このため、重層的な聴感がもたらされうる。第１音声出力孔１６Ｄ、第２音声出力孔１７Ｄ及び第３音声出力孔１８Ｄは独立に形成され、かつ第１音声出力孔１６Ｄ、第２音声出力孔１７Ｄ及び第３音声出力孔１８Ｄにおける音伝搬経路は互いに異なるので、ステレオ音響効果を発生させることができ、これにより使用者がより良好な聴感を享受することができる。
【００４９】
図１５及び図１６に示すように、本発明に係るマルチチャンネルヘッドホンの第６の実施形態はイヤーフック（耳かけ）型ヘッドホンであり、これは筐体１０Ｅとスピーカーユニット２０Ｅとを備える。
【００５０】
筐体１０Ｅは円盤状であり、かつ区画１１Ｅと、イヤープラグ１２Ｅと、第２音声出力孔１３Ｅと、第３音声出力孔１４Ｅと、イヤーフック１５Ｅとを備える。区画１１Ｅは、内側に開口部を備えて筐体１０Ｅの内側に形成されている。イヤープラグ１２Ｅはその開口部を通って区画１１Ｅに装着されており、イヤープラグ１２Ｅには、イヤープラグ１２Ｅを貫通して第１音声出力孔１２０Ｅが形成されており、これによりイヤープラグ１２Ｅは区画１１Ｅと連通している。第２音声出力孔１３Ｅ及び第３音声出力孔１４Ｅは対向して筐体１０Ｅの周壁に形成されており、これにより区画１１Ｅと連通している。イヤーフック１５Ｅは筐体１０Ｅとつながれている。
【００５１】
スピーカーユニット２０Ｅはムービングコイル型スピーカーであり、筐体１０Ｅの区画１１Ｅの内部に装着されており、かつイヤープラグ１２Ｅの内側端に置かれ、円盤状であり、かつ第１音発生部２１Ｅと第２音発生部２２Ｅとを備える。第１音発生部２１Ｅによって生成される音は、区画１１Ｅの開口部及び第１音声出力孔１２０Ｅの開口部を通って直接伝搬する。第２音発生部２２Ｅ及び区画１１Ｅの内壁は離間している。遮音壁１１０Ｅは区画１１Ｅの内壁に形成されている。遮音壁１１０Ｅは第２音発生部２２Ｅ、第２音声出力孔１３Ｅ及び第３音声出力孔１４Ｅに面する。第２音発生部２２Ｅによって生成される音は、第２音声出力孔１３Ｅ及び第３音声出力孔１４Ｅを通って直接伝搬するのではなく、遮音壁１１０Ｅによって屈折し、そのあと第２音声出力孔１３Ｅ及び第３音声出力孔１４Ｅを通って伝搬する。
【００５２】
本実施形態が使用されるとき、第１音声出力孔１２０Ｅの開口部が外耳の耳道に直接に面し、かつ第２音声出力孔１３Ｅ及び第３音声出力孔１４Ｅが外耳の耳介に置かれてかつ耳介の内壁に面するように、イヤープラグ１２Ｅが使用者の耳の外耳の中へと挿入される。スピーカーユニット２０の第１音発生部２１Ｅ及び第２音発生部２２Ｅが同時に音を生成すると、第１音発生部２１Ｅによって生成される音は第１音声出力孔１２０Ｅを通って耳道へと伝搬し、第２音発生部２２Ｅによって生成される音はまず遮音壁１１０Ｅによって屈折し、次いで第２音声出力孔１３Ｅ及び第３音声出力孔１４Ｅを通って耳道へと伝搬する。第２音発生部２２Ｅによって生成される音は耳道へと伝搬する前に屈折するので、第２音発生部２２Ｅによって生成される音が耳道へと伝搬する速度は、第１音発生部２１Ｅによって生成される音の速度よりも低く、このため、重層的な聴感がもたらされうる。第１音声出力孔１２Ｅ、第２音声出力孔１３Ｅ及び第３音声出力孔１４Ｅは独立に形成され、かつ第１音声出力孔１２Ｅ、第２音声出力孔１３Ｅ及び第３音声出力孔１４Ｅにおける音伝搬経路は互いに異なるので、ステレオ音響効果を発生させることができ、これにより使用者がより良好な聴感を享受することができる。
【００５３】
図１７及び図１８に示すように、本発明に係るマルチチャンネルヘッドホンの第７の実施形態はカナル型ヘッドホンであり、これは筐体１０Ｆとスピーカーユニット２０Ｆとを備える。
【００５４】
筐体１０Ｆは、円筒部分と、円筒部分の曲面につながれている外耳道挿入管１３Ｆとを備える。この円筒部分は、区画１１Ｆと、開口部と、蓋１２Ｆとを備える。区画１１Ｆは円筒部分の２つの底面のうちの一方に形成されておりかつその円筒部分の２つの底面のうちの一方から内部に向けて陥凹している。円筒部分の開口部は区画１１Ｆと連通している。蓋１２Ｆは円筒部分の開口部を覆う。図１９及び図２０に示すように、外耳道挿入管１３Ｆは第１音声出力孔１４Ｆと、音誘導チャンネル１５Ｆと、第２音声出力孔１６Ｆと、第３音声出力孔１７Ｆと、キャップ１８Ｆとを備える。第１音声出力孔１４Ｆは外耳道挿入管１３Ｆの内側端に形成されており、これにより区画１１Ｆの１つの側壁を通して区画１１Ｆと連通している。音誘導チャンネル１５Ｆは外耳道挿入管１３Ｆの内部に形成されている。音誘導チャンネル１５Ｆの１つの端部は区画１１Ｆの別の側壁を介して区画１１Ｆと連通しており、音誘導チャンネル１５Ｆの他端は、外耳道挿入管１３Ｆの内部に置かれ、第１音声出力孔１４Ｆの開口部に隣接しており、かつ隔壁１５０Ｆ及び２つの遮断壁１５２Ｆを備える。隔壁１５０Ｆは、隔壁１５０Ｆの２つの面に形成される２つの斜面１５１Ｆを備える。遮断壁１５２Ｆが、それぞれ隔壁１５０Ｆの斜面１５１Ｆに形成されている。第２音声出力孔１６Ｆ及び第３音声出力孔１７Ｆは、外耳道挿入管１３Ｆの外周壁を貫いて対向して形成されており、これによりともに音誘導チャンネル１５Ｆと連通している。第２音声出力孔１６Ｆ及び第３音声出力孔１７Ｆの開口部は、それぞれ隔壁１５０Ｆの斜面１５１Ｆに面する。キャップ１８Ｆは外耳道挿入管１３Ｆの内側端の周りに装着されており、ゴム製であり、キャップ１８Ｆを貫いて形成されている複数の開口部を備え、これらの開口部はそれぞれ第１音声出力孔１４Ｆ、第２音声出力孔１６Ｆ及び第３音声出力孔１７Ｆに対応する。
【００５５】
スピーカーユニット２０Ｆはムービングコイル型スピーカーであり、円盤状であり、筐体１０Ｆの区画１１Ｆの内部に装着されており、スピーカーユニット２０Ｆの両側に装着された第１音発生部２１Ｆ及び第２音発生部２２Ｆを備える。第１音発生部２１Ｆ及び蓋１２Ｆは離間しており、第１音発生部２１Ｆによって生成される音は蓋１２Ｆの内壁によって屈折する。第２音発生部２２Ｆ及び筐体１０Ｆの内壁は離間している、第２音発生部２２Ｆによって生成される音は筐体１０Ｆの内壁によって屈折する。
【００５６】
本実施形態が使用されるとき、第１音声出力孔１４Ｆの開口部が外耳の耳道に直接に面し、かつ第２音声出力孔１６Ｆ及び第３音声出力孔１７Ｆが外耳の耳介に置かれてかつ耳介の内壁に面するように、外耳道挿入管１３Ｆ及びキャップ１８Ｆが使用者の耳の外耳に設置される。スピーカーユニット２０Ｆの第１音発生部２１Ｆ及び第２音発生部２２Ｆが同時に音を生成すると、第２音発生部２２Ｆによって生成される音は筐体１０Ｆの内壁によって屈折し、次いで第１音声出力孔１４Ｆを通って耳道へと直接伝搬し、第１音発生部２１Ｆによって生成される音は蓋１２Ｆの内壁によって屈折し、次いで音誘導チャンネル１５Ｆへと誘導され、隔壁１５０Ｆ、この隔壁の２つの斜面１５１Ｆ及び遮断壁１５２Ｆによってさらに屈折した後に耳道へと伝搬する。第１音発生部２１Ｆによって生成される音は数回後退するので、第１音発生部２１Ｆによって生成される音が耳道へと伝搬する速度は、第２音発生部２２Ｆによって生成される音の速度よりも低く、このため重層的な聴感がもたらされうる。第１音声出力孔１４Ｆ、第２音声出力孔１６Ｆ及び第３音声出力孔１７Ｆは独立に形成され、かつ第１音声出力孔１４Ｆ、第２音声出力孔１５Ｆ及び第３音声出力孔１６Ｆにおける音伝搬経路は互いに異なるので、ステレオ音響効果を発生させることができ、これにより使用者がより良好な聴感を享受することができる。
【００５７】
図２１〜図２３に示すように、本発明に係るマルチチャンネルヘッドホンの第８の実施形態はオンイヤー型ヘッドホンであり、これは左スピーカーユニット１０Ｇと、右スピーカーユニット２０Ｇとヘッドバンド３０Ｇとを備える。
【００５８】
左スピーカーユニット１０Ｇは、筐体１１Ｇと、音誘導部材１２Ｇと、スピーカーユニット１３Ｇとイヤークッション１４Ｇとを備える。筐体１１Ｇは中空かつ円盤状であり、かつ筐体１１Ｇの内部に画定される区画１１０Ｇを備える。音誘導部材１２Ｇは装着用部分１２０Ｇと、音誘導片１２１Ｇと複数の第２音声出力孔１２３Ｇとを備える。装着用部分１２０Ｇは音誘導部材１２Ｇの中心に形成されており、装着用部分１２０Ｇの中に画定されるチャンバーを備える。音誘導片１２１Ｇは皿の形状をしており、テーパー状の外周壁を備えて装着用部分１２０Ｇに形成されており、第１音声出力孔１２２Ｇ及び複数の第２音声出力孔１２３Ｇを備える。第１音声出力孔１２２Ｇは音誘導片１２１Ｇの内側を貫通して形成されており、装着用部分１２０Ｇのチャンバーと連通している。第２音声出力孔１２３Ｇは、音誘導部材１２Ｇの周縁部に形成されており、互いに離間している。スピーカーユニット１３Ｇはムービングコイル型スピーカーであり、円盤状であり、音誘導部材１２Ｇの装着用部分１２０Ｇの内部に装着されており、かつ第１音発生部１３０Ｇ及び第２音発生部１３１Ｇを備える。第２音発生部１３１Ｇによって生成される音は第１音声出力孔１２２Ｇを通って直接伝搬する。第１音発生部１３０Ｇは区画１１０Ｇの内壁から離間しており、第１音発生部１３０Ｇによって生成される音は区画１１０Ｇの内壁によって屈折する。遮音壁１１１Ｇは区画１１０Ｇの内壁に形成されている。遮音壁１１１Ｇの中央部分は、スピーカーユニット１３Ｇの第１音発生部１３０Ｇの開口部に面する。遮音壁１１１Ｇの境界部分は第２音声出力孔１２３Ｇの開口部に面する。イヤークッション１４Ｇは筐体１１Ｇの縁部の周りに装着されている。
【００５９】
右スピーカーユニット２０Ｇは、構造上、左スピーカーユニットと同じであるので、繰り返さない。
【００６０】
ヘッドバンド３０Ｇは弾性を有する弧状のプレートであり、左スピーカーユニット１０Ｇと右スピーカーユニット２０Ｇとの間をつないでいる。
【００６１】
本実施形態が使用されるとき、左スピーカーユニット１０Ｇ及び右スピーカーユニット２０Ｇは、それぞれ使用者の左耳及び右耳に設置される。ヘッドバンド３０Ｇは、左スピーカーユニット１０Ｇ及び右スピーカーユニット２０Ｇをそれぞれ左耳及び右耳に保持するための好適な保持力を提供する。
【００６２】
本実施形態によって生成される音の伝搬方向に関しては、一例として左スピーカーユニット１０Ｇを取り上げると、第２音発生部１３１Ｇによって生成される音は第１音声出力孔１２２Ｇを通って耳道へと直接伝搬し、第１音発生部１３０Ｇによって生成される音は、遮音壁によって屈折して第２音声出力孔１２３Ｇを通って耳道へと伝搬する。第１音発生部１３０Ｇによって生成される音は耳道に到達する前に後退するので、第１音発生部１３０Ｇによって生成される音が耳道へと伝搬する速度は第２音発生部１３１Ｇによって生成される音の速度よりも低く、このため、重層的な聴感がもたらされうる。第１音声出力孔１２２Ｇ及び第２音声出力孔１２３Ｇは独立に形成され、かつ第１音声出力孔１２２Ｇ及び第２音声出力孔１２３Ｇにおける音伝搬経路は互いに異なるので、ステレオ音響効果を発生させることができ、これにより使用者がより良好な聴感を享受することができる。
【００６３】
図２４〜図２７に示すように、本発明に係るマルチチャンネルヘッドホンの第９の実施形態は左スピーカーユニット１０Ｈと、右スピーカーユニット２０Ｈと、ヘッドバンド３０Ｈとを備える。
【００６４】
左スピーカーユニット１０Ｈは、筐体１１Ｈと、遮断プレート１２Ｈと、音誘導片１３Ｈと、装着用フレーム１４Ｈと、３つのスピーカーユニット１５Ｈ、１６Ｈ、１７Ｈと、被覆プレート１８Ｈとイヤークッション１９Ｈとを備える。
【００６５】
筐体１１Ｈは中空かつ円盤状であり、かつ区画１１０Ｈと２つの誘導壁１１１Ｈとを備える。区画１１０Ｈは筐体１１Ｈ内に画定される。誘導壁１１１Ｈは、それぞれ対向して筐体１１Ｈの内壁に装着されている。各誘導壁１１１Ｈは、誘導壁１１１Ｈを貫いて形成されておりかつ筐体１１Ｈの内壁から離間している貫通孔１１２Ｈを備える。遮音壁１１３Ｈは、各誘導壁１１１Ｈに対応する筐体１１Ｈの内壁上の位置に形成されている。
【００６６】
遮断プレート１２Ｈは区画１１０Ｈの内部に装着されている。音誘導片１３Ｈは片側が開口している円盤状であり、遮断プレート１２Ｈの片側に装着されており、対向して音誘導片１３Ｈの周囲に形成されておりかつ音誘導片１３Ｈの周囲から径方向に突設する２つの突出部を備える。各突出部は、その突出部を貫通して形成されている誘導孔１３０Ｈを備える。装着用フレーム１４Ｈは音誘導片１３Ｈに装着されており、第１装着用部分１４０Ｈと、第１音誘導管１４１Ｈと、第２装着用部分１４３Ｈと、第３装着用部分１４４Ｈとを備える。第１装着用部分１４０Ｈは環状であり、装着用フレーム１４Ｈの中心に形成されている。第１音誘導管１４１Ｈは第１装着用部分１４０Ｈの内側の面に形成されており、この第１装着用部分１４０Ｈの内側の面から内側に向けて突設し、かつ第１音誘導管１４１Ｈを貫通して形成されている第１誘導孔１４２Ｈを備える。第２装着用部分１４３Ｈ及び第３装着用部分１４４Ｈは対向して第１装着用部分１４０Ｈの外周壁に形成されている。
【００６７】
スピーカーユニット１５Ｈ、１６Ｈ、１７Ｈは第１スピーカーユニット１５Ｈ、第２スピーカーユニット１６Ｈ及び第３スピーカーユニット１７Ｈを含む。第１スピーカーユニット１５Ｈはムービングコイル型スピーカーであり、円盤状であり、装着用フレーム１４Ｈの第１装着用部分１４０Ｈの内部に装着されており、それぞれ第１スピーカーユニット１５Ｈの２つの反対側の面に形成された第１音発生部１５０Ｈ及び第２音発生部１５１Ｈを備える。第１音発生部１５０Ｈによって生成される音は第１誘導孔１４２Ｈを通って直接伝搬する。第２音発生部１５１Ｈによって生成される音は、音誘導片１３Ｈの内壁によって屈折し、次いで音誘導片１３Ｈの誘導孔１３０Ｈを通って伝搬する。
【００６８】
第２スピーカーユニット１６Ｈは第２装着用部分１４３Ｈに装着されており、筐体１１Ｈの中の誘導壁１１１Ｈのうちの一方にある貫通孔１１２Ｈに面する音発生部を備える。
【００６９】
第３スピーカーユニット１７Ｈは第３装着用部分１４４Ｈに装着されており、筐体１１Ｈの中の他方の誘導壁１１１Ｈの貫通孔１１２Ｈに面する音発生部を備える。
【００７０】
被覆プレート１８Ｈは筐体１１Ｈに装着されており、第１音声出力孔１８０Ｈと、２つの第２音声出力孔１８１Ｈと、２つの第３音声出力孔１８２Ｈとを備える。第１音声出力孔１８０Ｈは、被覆プレート１８Ｈを貫通して中心に形成されている。２つの第２音声出力孔１８１Ｈは、第１音声出力孔１８０Ｈに対して被覆プレート１８Ｈ上の２つの対向する位置を貫いて形成されている。２つの第３音声出力孔１８２Ｈは、第１音声出力孔１８０Ｈに対して被覆プレート１８Ｈ上の別の２つの対向する位置を貫いて形成されている。第１音声出力孔１８０Ｈは第１誘導孔１４２Ｈと連通している。第２音声出力孔１８１Ｈは、それぞれ音誘導片１３Ｈの誘導孔１３０Ｈと連通している。誘導孔１３０Ｈは第２誘導孔を構成する。各第３音声出力孔１８２Ｈは誘導壁１１１Ｈのうちの一方と遮音壁１１３Ｈのうちの一方との間の空間（これは第３誘導孔を構成する）と連通している。イヤークッション１９Ｈは筐体１１Ｈの外周壁の周りに装着されている。
【００７１】
右スピーカーユニット２０Ｈは左スピーカーユニット１０Ｈと同様の内部構造を備えるので、繰り返さない。
【００７２】
ヘッドバンド３０Ｈは弾性を有する弧状のプレートであり、左スピーカーユニット１０Ｈと右スピーカーユニット２０Ｈとの間をつないでいる。
【００７３】
本実施形態が使用されるとき、第１スピーカーユニット１５Ｈの第１音発生部１５０Ｈによって生成される音は、第１誘導孔１４２Ｈ及び第１音声出力孔１８０Ｈの誘導に沿って使用者の耳道へと直接伝搬する。第１スピーカーユニット１５Ｈの第２音発生部１５１Ｈによって生成される音は、音誘導片１３Ｈによって屈折し、次いで２つの第２誘導孔１３０Ｈ及び２つの第２音声出力孔１８１Ｈを通って耳道へと伝搬する。
【００７４】
第２スピーカーユニット１６Ｈ及び第３スピーカーユニット１７Ｈの音発生部によって生成される音は屈折し、次いで筐体１１Ｈの２つの第３誘導孔及び２つの第３音声出力孔１８２Ｈを通って耳道へと伝搬する。第１スピーカーユニット１５Ｈの第１音発生部１５１Ｈによって生成される音は後退し、そのあと耳道へと伝搬するので、第１スピーカーユニット１５Ｈによって生成される音が耳道へと伝搬する速度は、第１スピーカーユニット１５Ｈの第２音発生部１５０Ｈによって生成される音の速度よりも低く、このため、重層的な聴感がもたらされうる。第１音声出力孔１８０Ｈ、第２音声出力孔１８１Ｈ及び第３音声出力孔１８２Ｈは独立に形成され、かつ第１音声出力孔１８０Ｈ、第２音声出力孔１８１Ｈ及び第３音声出力孔１８２Ｈにおける音伝搬経路は互いに異なるので、ステレオ音響効果を発生させることができ、これにより使用者がより良好な聴感を享受することができる。
【００７５】
図２８及び図２９に示すように、本発明に係るマルチチャンネルヘッドホンの第１０の実施形態は第９の実施形態の再設計であり、左スピーカーユニット１０Ｋ及び右スピーカーユニット２０Ｋの各々が予備スピーカーユニット４０Ｋを更に備える点で第９の実施形態とは異なる。
【００７６】
左スピーカーユニット１０Ｋの筐体１１Ｋは、装着用チャンバー１２Ｋと２つの第４誘導孔１２０Ｋとを備える。装着用チャンバー１２Ｋは筐体１１Ｋの内側に形成されておりかつこの筐体１１Ｋの内側の面から内部に向けて陥凹している。２つの第４誘導孔１２０Ｋは、装着用チャンバー１２Ｋと装着用フレーム１４Ｈの第１装着用部分１４０Ｈとの間に対向して形成されている。予備スピーカーユニット４０Ｋは装着用チャンバー１２Ｋの内部に装着されており、第１音発生部４００Ｋと第２音発生部４０１Ｋとを備える。第１音発生部４００Ｋによって生成される音は、筐体１１Ｋの内側を通って使用者の耳道へと直接伝搬する。第２音発生部４０１Ｋによって生成される音は、２つの第４誘導孔１２０Ｋを通って筐体１１Ｋの外側を伝搬し、これにより予備スピーカーユニット４０Ｋが予備音源としての役割を果たす。スピーカーユニットの残部は、実際のマルチチャンネルヘッドホンを構成するための中心音源、外側音源及び低音音源としての役割を果たすことができる。
【００７７】
本発明の構造及び機能の詳細とともに本発明の多くの特徴及び利点を上記の説明の中で示してきたが、本開示は例示にすぎない。添付の特許請求の範囲を表現する用語の広い一般的な意味が示す全範囲に及ぶ本発明の技術思想の範囲内で、細部において、とりわけ各部の形状、サイズ及び配置に関して変更が加えられてもよい。
【符号の説明】
【００７８】
１０  筐体
１１  区画
１２  第１音声出力孔
１３  第２音声出力孔
１４  ワイヤー孔
２０  スピーカーユニット
２１  第１音発生部
２２  第２音発生部
２２’  第２音発生部
１１０  第１遮音壁
１２０  第２遮音壁
１０Ａ  筐体
１１Ａ  区画
１２Ａ  第１音声出力孔
１３Ａ  第２音声出力孔
１４Ａ  ワイヤー孔
２０Ａ  スピーカーユニット
２２Ａ  第１音発生部
２１Ａ  第２音発生部
１０Ｂ  筐体
１１Ｂ  第１区画
１２Ｂ  第２区画
１３Ｂ  第３区画
１４Ｂ  第１音声出力孔
１５Ｂ  第２音声出力孔
１６Ｂ  第３音声出力孔
１７Ｂ  ワイヤー孔
２０Ｂ  第１スピーカーユニット
２１Ｂ  第２スピーカーユニット
２２Ｂ  第３スピーカーユニット
１２０Ｂ  第１遮音壁
１３０Ｂ  第２遮音壁
１０Ｃ  筐体
１１Ｃ  第１区画
１２Ｃ  第２区画
１３Ｃ  第３区画
１４Ｃ  隔壁
１５Ｃ  第１音声出力孔
１６Ｃ  第２音声出力孔
１７Ｃ  第３音声出力孔
２０Ｃ  第１スピーカーユニット
２１Ｃ  第２スピーカーユニット
２２Ｃ  第３スピーカーユニット
１０Ｄ  内側筐体
１１Ｄ  外側筐体
１２Ｄ  第１区画
１３Ｄ  第２区画
１４Ｄ  第３区画
１５Ｄ  隔壁
１６Ｄ  第１音声出力孔
１７Ｄ  第２音声出力孔
１８Ｄ  第３音声出力孔
２０Ｄ  第１スピーカーユニット
２１Ｄ  第２スピーカーユニット
２２Ｄ  第３スピーカーユニット
１２０Ｄ  第１開口部
２００Ｄ  第１音発生部
２０１Ｄ  第２音発生部
２１０Ｄ  音発生部
２２０Ｄ  音発生部
１０Ｅ  筐体
１１Ｅ  区画
１２Ｅ  イヤープラグ
１３Ｅ  第２音声出力孔
１４Ｅ  第３音声出力孔
１５Ｅ  イヤーフック
２０Ｅ  スピーカーユニット
２１Ｅ  第１音発生部
２２Ｅ  第２音発生部
１１０Ｅ  遮音壁
１２０Ｅ  第１音声出力孔
１０Ｆ  筐体
１１Ｆ  区画
１２Ｆ  蓋
１３Ｆ  外耳道挿入管
１４Ｆ  第１音声出力孔
１５Ｆ  音誘導チャンネル
１６Ｆ  第２音声出力孔
１７Ｆ  第３音声出力孔
１８Ｆ  キャップ
２０Ｆ  スピーカーユニット
１５０Ｆ  隔壁
１５１Ｆ  斜面
１５２Ｆ  遮断壁
１０Ｇ  左スピーカーユニット
１１Ｇ  筐体
１２Ｇ  音誘導部材
１３Ｇ  スピーカーユニット
１４Ｇ  イヤークッション
２０Ｇ  右スピーカーユニット
３０Ｇ  ヘッドバンド
１１０Ｇ  区画
１２０Ｇ  装着用部分
１２１Ｇ  音誘導片
１２２Ｇ  第１音声出力孔
１２３Ｇ  第２音声出力孔
１３０Ｇ  第１音発生部
１３１Ｇ  第２音発生部
１０Ｈ  左スピーカーユニット
１１Ｈ  筐体
１２Ｈ  遮断プレート
１３Ｈ  音誘導片
１４Ｈ  装着用フレーム
１５Ｈ  第１スピーカーユニット
１６Ｈ  第２スピーカーユニット
１７Ｈ  第３スピーカーユニット
１８Ｈ  被覆プレート
１９Ｈ  イヤークッション
２０Ｈ  右スピーカーユニット
３０Ｈ  ヘッドバンド
１１０Ｈ  区画
１１１Ｈ  誘導壁
１３０Ｈ  誘導孔
１４０Ｈ  第１装着用部分
１４１Ｈ  第１音誘導管
１４２Ｈ  第１誘導孔
１４３Ｈ  第２装着用部分
１４４Ｈ  第３装着用部分
１５０Ｈ  第１音発生部
１５１Ｈ  第２音発生部
１８０Ｈ  第１音声出力孔
１８１Ｈ  第２音声出力孔
１８２Ｈ  第３音声出力孔
１１Ｋ  筐体
１２Ｋ  装着用チャンバー
４０Ｋ  予備スピーカーユニット
１２０Ｋ  第４誘導孔
【図１】
2014155229.tif 000003
【図２Ａ】
2014155229.tif 000004
【図２Ｂ】
2014155229.tif 000005
【図３】
2014155229.tif 000006
【図４】
2014155229.tif 000007
【図５】
2014155229.tif 000008
【図６】
2014155229.tif 000009
【図７】
2014155229.tif 000010
【図８】
2014155229.tif 000011
【図９】
2014155229.tif 000012
【図１０】
2014155229.tif 000013
【図１１】
2014155229.tif 000014
【図１２】
2014155229.tif 000015
【図１３】
2014155229.tif 000016
【図１４】
2014155229.tif 000017
【図１５】
2014155229.tif 000018
【図１６】
2014155229.tif 000019
【図１７】
2014155229.tif 000020
【図１８】
2014155229.tif 000021
【図１９】
2014155229.tif 000022
【図２０】
2014155229.tif 000023
【図２１】
2014155229.tif 000024
【図２２】
2014155229.tif 000025
【図２３】
2014155229.tif 000026
【図２４】
2014155229.tif 000027
【図２５】
2014155229.tif 000028
【図２６】
2014155229.tif 000029
【図２７】
2014155229.tif 000030
【図２８】
2014155229.tif 000031
【図２９】
2014155229.tif 000032